【手続補正書】
【提出日】平成18年3月2日(2006.3.2)
【手続補正１】
【補正対象書類名】明細書
【補正対象項目名】発明の名称
【補正方法】変更
【補正の内容】
【発明の名称】ナビゲーション装置及びその象徴音データの音声出力方法
【手続補正２】
【補正対象書類名】明細書
【補正対象項目名】特許請求の範囲
【補正方法】変更
【補正の内容】
【特許請求の範囲】
【請求項１】
ナビゲーションの動作形態を選択する指令信号を入力する指令操作手段と、
移動体の現在位置を検出し、現在位置情報を提供する現在位置検出手段と、
ナビゲーションの地図画像データが格納される地図情報記憶手段と、
ナビゲーションの案内音声データと地図オブジェクトに対応する象徴音データが格納される音声情報記憶手段と、
地図オブジェクトデータと地図オブジェクトの領域データが格納される地図オブジェクト記憶手段と、
上記地図情報記憶手段から現在位置の地図情報を読み出す地図情報読出手段と、
上記地図情報読出手段から読み出した地図情報を表示する表示手段と、
上記音声情報記憶手段から上記象徴音データを読み出す象徴音データ読出手段と、
上記象徴音データ読出手段から読み出した上記象徴音データを音声出力する音声出力手段と、
上記地図オブジェクト記憶手段から地図オブジェクトの領域データを読み出す地図オブジェクト読出手段と、
上記移動体の現在位置に対応する地図情報を表示手段に表示すると共に、上記指令操作手段に基づき上記現在位置に対応した象徴音データを上記音声出力手段によって音声出力させる制御手段と
を備えることを特徴とするナビゲーション装置。
【請求項２】
上記地図オブジェクトデータは、山、川、海、駅、飛行場、神社である
ことを特徴とする請求項１に記載のナビゲーション装置。
【請求項３】
上記象徴音データは、鳥の囀り、川のせせらぎ、波の音、電車の通過音、飛行機のエンジン音、鐘の音である
ことを特徴とする請求項１に記載のナビゲーション装置。
【請求項４】
上記象徴音データは、上記指令操作手段によって象徴音指定モード、イベント音選択モード、距離対応レベル出力モード、最強レベル出力モード、条件出力モードから選択される
ことを特徴とする請求項１に記載のナビゲーション装置。
【請求項５】
上記象徴音指定モードは、指定した象徴音データのみを選択して上記音声出力手段から音声出力する
ことを特徴とする請求項４に記載のナビゲーション装置。
【請求項６】
上記イベント音選択モードは、地図オブジェクトに関連するイベントの期間のみ象徴音データから選択して上記音声出力手段から音声出力する
ことを特徴とする請求項４に記載のナビゲーション装置。
【請求項７】
上記距離対応レベル出力モードは、上記地図オブジェクトまでの距離に対応した象徴音データの音声レベルを音声出力する
ことを特徴とする請求項４に記載のナビゲーション装置。
【請求項８】
上記最強レベル出力モードは、複数の象徴音データの中で最大レベルの音声レベルを音声出力する
ことを特徴とする請求項４に記載のナビゲーション装置。
【請求項９】
上記条件出力モードは、所定の時間だけ限定して象徴音データの音声を音声出力する
ことを特徴とする請求項４に記載のナビゲーション装置。
【請求項１０】
ナビゲーションの動作形態を選択する指令信号を入力する指令操作ステップと、
移動体の現在位置を検出し、現在位置情報を提供する現在位置検出ステップと、
ナビゲーションの地図画像データが格納される地図情報記憶ステップと、
ナビゲーションの案内音声データと地図オブジェクトに対応する象徴音データが格納される音声情報記憶ステップと、
地図オブジェクトデータと地図オブジェクトの領域データが格納される地図オブジェクト記憶ステップと、
上記地図情報記憶ステップから現在位置の地図情報を読み出す地図情報読出ステップと、
上記地図情報読出ステップから読み出した地図情報を表示する表示ステップと、
上記音声情報記憶ステップから上記象徴音データを読み出す象徴音データ読出ステップと、
上記象徴音データ読出ステップから読み出した上記象徴音データを音声出力する音声出力ステップと、
上記地図オブジェクト記憶ステップから地図オブジェクトの領域データを読み出す地図オブジェクト読出ステップと、
上記移動体の現在位置に対応する地図情報を表示手段に表示すると共に、上記指令操作手段に基づき上記現在位置に対応した象徴音データを上記音声出力ステップによって音声出力させる制御ステップと
を備えることを特徴とするナビゲーション装置の象徴音データの音声出力方法。
【手続補正３】
【補正対象書類名】明細書
【補正対象項目名】０００４
【補正方法】変更
【補正の内容】
【０００４】
本発明は、前述したこの種のナビゲーション装置の動作の現状を鑑みてなされたものであり、走行路近傍の地図オブジェクトの自然環境や人為的な環境から発せられ、その地図オブジェクトを象徴する象徴音を、聴覚的に感じ取ることが可能なナビゲーション装置を提供することにある。
【手続補正４】
【補正対象書類名】明細書
【補正対象項目名】０００５
【補正方法】変更
【補正の内容】
【０００５】
【課題を解決するための手段】
かかる課題を解決するため本発明においては、ナビゲーションの動作形態を選択する指令信号を入力する指令操作手段と、移動体の現在位置を検出し、現在位置情報を提供する現在位置検出手段と、ナビゲーションの地図画像データが格納される地図情報記憶手段と、ナビゲーションの案内音声データと地図オブジェクトに対応する象徴音データが格納される音声情報記憶手段と、地図オブジェクトデータと地図オブジェクトの領域データが格納される地図オブジェクト記憶手段と、地図情報記憶手段から現在位置の地図情報を読み出す地図情報読出手段と、地図情報読出手段から読み出した地図情報を表示する表示手段と、音声情報記憶手段から象徴音データを読み出す象徴音データ読出手段と、象徴音データ読出手段から読み出した象徴音データを音声出力する音声出力手段と、地図オブジェクト記憶手段から地図オブジェクトの領域データを読み出す地図オブジェクト読出手段と、移動体の現在位置に対応する地図情報を表示手段に表示すると共に、指令操作手段に基づき現在位置に対応した象徴音データを音声出力手段によって音声出力させる制御手段とを設けるようにする。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】００２３
【補正方法】変更
【補正の内容】
【００２３】
【発明の効果】
上述のように本発明によれば、ナビゲーションの動作形態を選択する指令信号及び移動体の現在位置情報が入力されると、指令信号及び現在位置情報に基づいて、地図画像データ及び案内音声データ、地図オブジェクトデータ及び地図オブジェクトを象徴する象徴音データがそれぞれ読み出され、読み出した地図画像データ及び地図オブジェクトデータが、指令信号に基づいてディスプレイに画像表示され、案内音データ及び象徴音データが、指令信号に基づいてスピーカから音声出力されるので、移動体の走行路近傍の地図オブジェクトに対応する取りの囀り、波の音などの象徴音を、利用者に聴覚を介して的確に通報し、現在地の自然雰囲気に浸らせることが可能になる。
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】